(57)【要約】【課題】静電気対策部品自体がスコープ内の電子回路の動作、特性に影響を与えず、また少ない部品数で静電気対策を有効に行えるようにする。【解決手段】スコープ１２の外装体として金属部材１６Ａ〜１６Ｃを設け、この金属部材１６Ａが導線１７によって金属部材１６Ｂに接続され、この金属部材１６Ｂは連結端子板１９によって金属部材１６Ｃに接続され、この金属部材１６Ｃが静電気対策部品２５を介してシールドボックス２１に接続され、このシールドボックス２１は接片バネ２２を介してプロセッサ装置１４の筐体グランド２３Ｇに接続される。また、上記金属部材１６Ｃを、上記静電気対策部品２５を介してコネクタ回路部３４のグランド端子３４ｇに接続してもよい。【選択図】  図１
2004148028.tif 000002
【特許請求の範囲】
【請求項１】
スコープ本体の外装体に金属部材を有する電子内視鏡装置において、
上記外装体金属部材とプロセッサ装置筐体グランド又はスコープ側回路グランドとの間に、静電気対策部品を設けたことを特徴とする電子内視鏡装置。
【発明の詳細な説明】
【０００１】
【発明の属する技術分野】
本発明は電子内視鏡装置、特に外部から与えられる静電気に対しスコープ内の電子部品を保護するための構成に関する。
【０００２】
【従来の技術】
図３には、医療分野等で用いられる電子内視鏡装置の概略構成が示されており、この装置ではスコープ（電子内視鏡）１がプロセッサ装置２へコネクタ部３により着脱自在に接続される。このスコープ１の先端には、ＣＣＤ（Ｃｈａｒｇｅ  Ｃｏｕｐｌｅｄ  Ｄｅｖｉｃｅ）を含むＣＣＤ回路部４が設けられ、このＣＣＤ回路部４はコネクタ回路部５から信号線６ａを介して供給される信号によって駆動され、このＣＣＤ回路部４で撮像された信号は、信号線６ｂを通り、コネクタ回路部５を介してプロセッサ装置２へ供給される。また、スコープ１の操作部には静止画の形成及び記録のためのフリーズスイッチ等のスイッチ７が配置されており（複数設けられる）、このスイッチ７の操作信号は信号線６ｃからコネクタ回路部５を介してプロセッサ装置２へ供給される。
【０００３】
このような図３の装置では、上記のＣＣＤ回路部４からの出力信号がコネクタ回路部５で所定の処理が施され、その後にプロセッサ装置２で更にカラー映像処理が施されることになり、被観察体の映像はモニタ８へ表示される。また、上記フリーズスイッチ７の操作によって静止画が形成され、この静止画は記録装置等へも記録できるようになっている。
【０００４】
【特許文献１】
特開平９−１９２０８８号公報
【０００５】
【発明が解決しようとする課題】
ところで、上記電子内視鏡装置では、スコープ１においてその内部に配置されるＩＣ（集積回路）、トランジスタ等の電子部品を保護するために、静電気の対策を採ることが提案されており、この静電気対策としては、対象となる信号線或いは電源線に対し、静電気対策部品を配置することになる。例えば、図３の場合は、各信号線６ａ，６ｂ，６ｃとグランドとの間に、静電気対策部品９ａ，９ｂ，９ｃを配置する。
【０００６】
しかし、上述のように静電気対策部品９ａ，９ｂ，９ｃを信号線６ａ，６ｂ，６ｃに直接接続する場合は、この対策部品の回路素子の持つインピーダンス（静電容量等）がＣＣＤ回路部４やコネクタ回路部５の内部電子回路の動作、特性に影響を与えるという問題がある。また、図３のように、必要となる信号線（６ａ〜６ｃ）又は電源線に応じて静電気対策部品（９ａ〜９ｃ）を設けたのでは、静電気対策部品の設置数が多くなり、スコープの大型化、コスト高にも繋がるという問題がある。
【０００７】
本発明は上記問題点に鑑みてなされたものであり、その目的は、静電気対策部品自体がスコープ内の電子回路の動作、特性に影響を与えることなく、また少ない部品数で静電気対策を有効に行うことができる電子内視鏡装置を提供することにある。
【０００８】
【課題を解決するための手段】
上記目的を達成するために、本発明は、スコープ本体の外装体に金属部材を有する電子内視鏡装置において、上記外装体金属部材とプロセッサ装置筐体グランド又はスコープ側回路グランドとの間に、静電気対策部品を設けたことを特徴とする。
【０００９】
上記の構成によれば、静電気対策部品としてサージアブソーバーやエアギャップを利用した静電気抑圧素子等が用いられ、この静電気対策部品が外装体金属部材とプロセッサ装置筐体グランド、即ち商用電源のグランドとの間に配置される。また、この静電気対策部品は、外装体金属部材とスコープのコネクタ回路部グランドとの間に配置することもできる。この結果、外部からスコープに与えられる静電気は、スコープ内の電子回路（部品）を通らずに、外装体金属部材からグランドに流れることになる。
【００１０】
【発明の実施の形態】
図１には、第１実施例に係る電子内視鏡装置の構成が示されており、図示されるように、スコープ（電子内視鏡）１２はコネクタ１３によってプロセッサ装置１４に着脱自在に取り付けられる。このスコープ１２は、挿入部１２Ａ、操作部１２Ｂ、ケーブル部１２Ｃを有し、このケーブル部１２Ｃは途中で二股に分かれ、その端部に電気コネクタ部１２Ｄと光コネクタ部１２Ｅを備えている。
【００１１】
また、このスコープ１２の外装体として、上記挿入部１２Ａではアングルリングを含むリング状の金属部材１６Ａ、操作部１２Ｂではフレーム等の金属部材１６Ｂ、ケーブル部１２Ｃでは螺旋管等のリング状金属部材１６Ｃ，１６Ｅが配置され、これらの金属部材１６Ａの外側には、合成樹脂製の被覆が形成される。そして、実施例では、上記挿入部金属部材１６Ａと操作部金属部材１６Ｂが、導線（連結線）１７で電気的に接続され、この導線１７は端子板１８にも接続される。また、操作部金属部材１６Ｂとケーブル部金属部材１６Ｃ，１６Ｅは、連結端子板１９を介して電気的に接続される。
【００１２】
また、上記電気コネクタ部１２Ｄには、内部回路を保護するシールドボックス２１が設けられ、このシールドボックス２１は接片バネ２２によってプロセッサ装置１４の筐体２３に電気的に接続される。この筐体２３は商用電源のグランドである筐体グランド２３Ｇに接地されている。
【００１３】
そして、上記のシールドボックス２１と上記ケーブル部金属部材１６Ｃとの間に静電気対策部品２５が取り付けられる。この結果、挿入部１２Ａ、操作部１２Ｂ、ケーブル部１２Ｃの全ての外装の金属部材１６Ａ，１６Ｂ，１６Ｃが静電気対策部品２５を介して筐体グランド２３Ｇに接続されることになる。この静電気対策部品２５としては、一般に知られているサージアブソーバーやエアギャップを利用した静電気抑圧素子（サプレッサー）等が用いられる。
【００１４】
一方、上記挿入部１２Ａの先端には、ＣＣＤとバッファ回路等の電子部品が搭載されたＣＣＤ回路部２７が設けられ、このＣＣＤ回路部２７には同軸信号線２８ａ、複数の電線を有する信号線２８ｂが接続されと共に、このＣＣＤ回路部２７の外周はシールド部材２９によって包まれている。また、上記同軸信号線２８ａ、信号線２８ｂは、例えば網目状の内シールド３１と外シールド３２の二重シールドで覆われており、この二重シールド（３１，３２）と上記シールド部材２９はノイズの影響を除去するために設けられる。そして、この二重シールドの内シールド３１は、上記ＣＣＤ回路部２７のグランド端子２７ｇに接続され、外シールド３２はシールド部材２９に接続される。
【００１５】
上記電気コネクタ部１２Ｄには、信号処理回路等を含むコネクタ回路部（例えばセットアップボード）３４が設けられ、このコネクタ回路部３４には、上記同軸信号線２８ａ，信号線２８ｂが接続されると共に、その外周はノイズの影響を防止するために上記シールドボックス２１で覆われている。また、上記二重シールド（３１，３２）もこの電気コネクタ部１２Ｄまで配設され、内シールド３１はコネクタ回路部３４のグランド（患者側グランド）端子３４ｇに接続され、外シールド３２はシールドボックス２１に接続される。なお、上記グランド端子３４ｇは、グランド線によってプロセッサ装置１４の回路内グランド線に接続される。
【００１６】
上記操作部１２Ｂには、静止画の形成及び記録のためのフリーズスイッチ等の複数のスイッチ３６が設けられており、このスイッチ３６も信号線２８ｃにてコネクタ回路部３４へ接続され、この信号線２８ｃのシールド３７はシールドボックス２１へ接続される。なお、電気コネクタ部１２Ｄには、ノイズを除去するために、上記の信号線１８ａ〜２８ｃとシールド３１，３２，３７を内側に配置したフェライトコア３８が設けられる。
【００１７】
更に、上記プロセッサ装置１４の筐体２３には、４ｋＶ以上の耐圧を有するノイズ除去用のコンデンサ３９がグランド２３Ｇとの間に設けられる。なお、上記光コネクタ１２Ｅは図示していない光源装置へ接続されるが、この光コネクタ１２Ｅには電気メスのグランドにつながるＳコネクタ４１が設けられ、このＳコネクタ４１は操作部１２Ｂの端子板１８に接続される。
【００１８】
第１実施例は以上の構成からなり、挿入部１２Ａの金属部材１６Ａが導線１７によって操作部１２Ｂの金属部材１６Ｂに接続され、この金属部材１６Ｂは連結端子板１９によってケーブル部１２Ｃの金属部材１６Ｃに接続され、この金属部材１６Ｃが静電気対策部品２５を介してシールドボックス２１に接続され、このシールドボックス２１は接片バネ２２を介してプロセッサ装置１４の筐体グランド２３Ｇに接続されることにより、スコープ１２の外装体の金属部材１６Ａ〜１６Ｃの全てが静電気対策部品２５を介して商用電源のグランドに接地される。
【００１９】
従って、このスコープ１２に対し外部から静電気が印加された場合でも、この静電気をグランド２３Ｇに良好に流すことができ、スコープ１２内の電子回路（部品）に影響を与えることもない。また、近年では、スコープ１２に対してＥＭＣ（電磁両立性）試験が行われるが、このＥＭＣ試験においても、電子部品の保護ができるという利点がある。更に、従来のように必要となる複数の信号線に対し直接、静電気対策部品を接続しないので、各信号線に接続される電子部品の動作、特性に影響を与えることもないという利点がある。
【００２０】
図２には、本発明の第２実施例の構成が示されている。この第２実施例は、図２に示されるように、ケーブル部１２Ｃの金属部材１６Ｃを静電気対策部品２５を介してコネクタ回路部３４のグランド端子３４ｇに接続したものである。この場合は、スコープ１２の外装体である金属部材１６Ａ，１６Ｂ，１６Ｃの全てが静電気対策部品２５を介して上記グランド端子３４ｇ、即ち患者側グランドに接地され、これによって静電気がグランドに吸収される。
【００２１】
上記第１実施例では、ケーブル部１２Ｃの金属部材１６Ｃをシールドボックス２１に接続したが、この金属部材１６Ｃを接片バネ２２又はプロセッサ装置１４の筐体２３に直接接続するように構成してもよい。
【００２２】
【発明の効果】
以上説明したように、本発明によれば、スコープの外装体である金属部材とプロセッサ装置筐体グランドとの間、又は上記金属部材とスコープ側回路グランドとの間に、静電気対策部品を設けるようにしたので、この静電気対策部品自体がスコープ内の電子回路の動作、特性に影響を与えることもなく、静電気をグランドに良好に流すことができる。また、従来のように、複数の信号線等のそれぞれに対し静電気対策部品を配置しないので、少ない部品数で静電気対策を有効に行うことが可能になる。
【図面の簡単な説明】
【図１】本発明の第１実施例に係る電子内視鏡装置の全体構成を示す図である。
【図２】第２実施例の主要構成を示す図である。
【図３】従来の電子内視鏡装置において静電気対策を行う場合の構成図である。
【符号の説明】
１，１２…スコープ（電子内視鏡）、
２，１４…プロセッサ装置、
６ａ〜６ｃ，２８ａ〜２８ｃ…信号線、
９ａ〜９ｃ，２５…静電気対策部品、
１６Ａ〜１６Ｃ…外装体である金属部材、
２１…シールドボックス、  ２２接片バネ、
２７…ＣＣＤ回路部、    ２７ｇ…グランド端子、
３１…内シールド、      ３２…外シールド、
３４…コネクタ回路部、  ３４ｇ…グランド端子、
２３…筐体、  ２３Ｇ…プロセッサ装置筐体グランド（商用電源グランド）。
【図１】
2004148028.tif 000003
【図２】
2004148028.tif 000004
【図３】
2004148028.tif 000005